(57)【要約】      （修正有）【課題】靴下内に容易に挿入することのできる靴下装着用補助具の提供。【解決手段】布帛から成る袋状部１２と、紐装着端部１８を除いた袋状部内に挿入され、袋状部を折り畳んで棒状体を形成するとき、袋状部と共に折り畳み可能の補強板と、補強板よりも硬く且つ靴下に挿入される足の踵に沿って弾性変形可能の補強部材であって、棒状体の芯部を形成できるように、補強板の一面側にその中心軸に沿って装着されている第１帯状補強材と、補強板よりも硬く且つ袋状部と共に折り畳むことのできる弾性変形可能の補強部材であって、棒状体の先細状端部２０によって形成された端部を靴下内に挿入し、棒状体の形状保持力を解放したとき、靴下から突出する紐装着端部を含む突出部に人の足先が挿入できる隙間が形成できるように、紐装着端部内に挿入されている第２帯状補強材とを具備する。【選択図】図１
2010284294.tif 000002
【特許請求の範囲】
【請求項１】
靴下内に一部が挿入され、靴下を履く動作を補助する靴下装着用補助具には、布帛によって形成され、紐が装着される装着孔が形成された紐装着端部に対向する端部が、先端方向に次第に幅狭となる先細状端部に形成された袋状部と、
前記紐装着端部を除いた袋状部の内部に挿入される補強板であって、前記靴下内に挿入されるように前記袋状部を折り畳んで棒状体を形成するとき、前記袋状部と共に折り畳み可能の中板と、
前記中板よりも硬く且つ前記袋状部と共に折り畳んで前記棒状体を形成できる弾性変形可能の帯状部材であって、前記先細状端部によって形成される棒状体の端部側を靴下内に挿入し、前記棒状体の形状保持力を解放したとき、前記靴下から突出する前記紐装着端部を含む棒状体の突出部に人の足先が挿入できる隙間が形成できるように、前記紐装着端部内に挿入されている第１帯状補強材と、
前記中板よりも硬く且つ前記靴下に挿入される足の踵に沿って弾性変形可能の帯状部材であって、前記棒状体の芯部を形成できるように、前記中板の一面側に前記紐装着部側に位置する端部から先細状端部の先端側に位置する端部方向に延出されて装着されている第２帯状補強材とを具備することを特徴とする靴下装着用補助具。
【請求項２】
第１帯状補強材と第２帯状補強材とが、帆布によって形成されている請求項１又は請求項２記載の靴下装着用補助具。
【請求項３】
靴下内に一部が挿入され、靴下を履く動作を補助する靴下装着用補助具には、布帛によって形成され、紐が装着される装着孔が形成された紐装着端部に対向する端部が、先端方向に次第に幅狭となる先細状端部に形成された袋状部と、
前記紐装着端部を除いた袋状部の内部に挿入される補強板であって、前記靴下内に挿入されるように前記袋状部を折り畳んで棒状体を形成するとき、前記袋状部と共に折り畳み可能の中板と、
前記中板よりも硬く且つ前記袋状部と共に折り畳んで前記棒状体を形成できる弾性変形可能の帯状部材であって、前記先細状端部によって形成される棒状体の端部側を靴下内に挿入し、前記棒状体の形状保持力を解放したとき、前記靴下から突出する前記紐装着端部を含む棒状体の突出部に人の足先が挿入できる隙間が形成できるように、前記紐装着端部内に挿入されている第１帯状補強材とを具備し、
前記中板には、棒状体の内側面となる面に形成された複数の凹溝が、前記中板の中央部近傍で交差していることを特徴とする靴下装着用補助具。
【請求項４】
中板が、二枚の補強板が積層されて形成され、前記補強板の一方側に他方の補強板が部分的に積層されて凹溝が形成されている請求項３記載の靴下装着用補助具。
【請求項５】
第１帯状補強材が、帆布によって形成されている請求項３又は請求項４記載の靴下装着用補助具。
【請求項６】
中板が、フェルト材によって形成され、前記中板の形状が袋状部と相似形である請求項１〜５のいずれか一項記載の靴下装着用補助具。
【請求項７】
袋状部が、綿素材から成る布帛によって形成されている請求項１〜６のいずれか一項記載の靴下装着用補助具。
【請求項８】
靴下に挿入される棒状体の端部側に、先細状端部によって形成されたＶ字状部が形成されている請求項１〜７のいずれか一項記載の靴下装着用補助具。
【請求項９】
装着孔には、足を挿入した靴下内から靴下と共に袋状部を引き上げる引上げ紐が装着されている請求項１〜８のいずれか一項記載の靴下装着用補助具。
【発明の詳細な説明】
【技術分野】
【０００１】
本発明は靴下装着用補助具に関する。
【背景技術】
【０００２】
屈むことが困難な妊婦、膝痛・腰痛の患者、高齢者、片手しか使用できない身体障害者或いは肥満者等は、靴下を一人で履くことが困難となっていることが多い。
この様な、靴下を一人で履くことが困難な人に対し、図１０に示す靴下装着用補助具が提案されている（下記特許文献１参照）。
かかる靴下装着用補助具は、図１０（ａ）の正面図に示す様に、楕円形状の布地１００の端部１０２，１０４のうち、端部１０２に紐１０６，１０６が装着され、端部１０４に一対のポケット１０８，１０８が形成されている。
かかる布地１００のうち、ポケット１０８，１０８が形成されている部分には、木綿地１００ａによって形成され、その他の部分１００ｂには、摩擦が少なく滑りやすいレーヨン地１００ｂによって形成されている。
かかるレーヨン地１００ｂは、ポケット１０８，１０８が形成されている面に対して反対側の面も、図１０（ｂ）に示す様に、レーヨン生地１００ｂによって形成されている。
【先行技術文献】
【特許文献】
【０００３】
【特許文献１】実用新案登録第３１４１７８０号公報
【発明の概要】
【発明が解決しようとする課題】
【０００４】
図１０に示す靴下装着用補助具を用いて靴下を着用する際には、図１１（ａ）に示す様に、布地１００を折り畳んで棒状体１１０とする。棒状体１１０の先端近傍に、ポケット１０８，１０８が位置する。
このポケット１０８，１０８には、図１１（ｂ）（ｄ）に示す様に、人の手の指を挿入し、棒状体１１０の先端部を靴下１２０内に挿入する。
次いで、棒状体１１０の靴下１２０から突出した突出部を開いて形成した筒状開口部内に、図１１（ｅ）に示す様に、人の足先を挿入する。
その後、紐１０６，１０６を引っ張ることによって、棒状体１１０を靴下１２０から引き抜きつつ、棒状体１１０の布地１００との摩擦力によって靴下１２０を足に沿って引っ張り上げることができ、足に靴下１２０を履くことができる。
しかし、図１０に示す靴下装着用補助具では、布地１００を折り畳んで形成した棒状体１１０を、その先端部に位置するポケット１０８，１０８に指を挿入して靴下１２０内に挿入している。
この様に、靴下１２０内に棒状体１１０を指によって挿入することは、片手しか使用できない身体障害者等の使用者にとって大変面倒なことである。
また、棒状体１１０の靴下１２０から突出している突出部に、足を挿入する隙間を形成することも、使用者にとって大変面倒である。
そこで、本発明は、布地を折り畳んで形成した棒状体を、その先端部に位置するポケットに指を挿入して靴下内に挿入する従来の靴下装着用補助具の課題を解消し、折り畳んで形成した棒状体を容易に靴下内に挿入でき、且つ靴下から突出している棒状体の突出部に足を挿入できる隙間を容易に形成できる靴下装着用補助具を提供する。
【課題を解決するための手段】
【０００５】
本発明者は、前記課題を解決すべく検討を重ねた結果、布帛によって形成した袋状部内に、袋状部を折り畳んで形成した棒状体の芯部となるように第１帯状補強材が一面に装着された中板を挿入し、且つ靴下内を棒状体を挿入し、棒状体の形状保持力を解放したとき、靴下から突出する棒状体の突出部に、足を挿入する隙間を容易に形成できるように、突出部の端部を形成する袋状部材の端部に第２帯状補強材を挿入することが有効であることを知った。
すなわち、前記課題を解決し得る手段としては、靴下内に一部が挿入され、靴下を履く動作を補助する靴下装着用補助具には、布帛によって形成され、紐が装着される装着孔が形成された紐装着端部に対向する端部が、先端方向に次第に幅狭となる先細状端部に形成された袋状部と、前記紐装着端部を除いた袋状部の内部に挿入される補強板であって、前記靴下内に挿入されるように前記袋状部を折り畳んで棒状体を形成するとき、前記袋状部と共に折り畳み可能の中板と、前記中板よりも硬く且つ前記袋状部と共に折り畳んで前記棒状体を形成できる弾性変形可能の帯状部材であって、前記先細状端部によって形成される棒状体の端部側を靴下内に挿入し、前記棒状体の形状保持力を解放したとき、前記靴下から突出する前記紐装着端部を含む棒状体の突出部に人の足先が挿入できる隙間が形成できるように、前記紐装着端部内に挿入されている第１帯状補強材と、前記中板よりも硬く且つ前記靴下に挿入される足の踵に沿って弾性変形可能の帯状部材であって、前記棒状体の芯部を形成できるように、前記中板の一面側に前記紐装着部側に位置する端部から先細状端部の先端側に位置する端部方向に延出されて装着されている第２帯状補強材とを具備する第１の靴下装着用補助具を提供できる。
かかる第１の靴下装着用補助具において、第１帯状補強材と第２帯状補強材とを、帆布によって形成することが好ましい。
【０００６】
また、前記課題を解決し得る手段としては、靴下内に一部が挿入され、靴下を履く動作を補助する靴下装着用補助具には、布帛によって形成され、紐が装着される装着孔が形成された紐装着端部に対向する端部が、先端方向に次第に幅狭となる先細状端部に形成された袋状部と、前記紐装着端部を除いた袋状部の内部に挿入される補強板であって、前記靴下内に挿入されるように前記袋状部を折り畳んで棒状体を形成するとき、前記袋状部と共に折り畳み可能の中板と、前記中板よりも硬く且つ前記袋状部と共に折り畳んで前記棒状体を形成できる弾性変形可能の帯状部材であって、前記先細状端部によって形成される棒状体の端部側を靴下内に挿入し、前記棒状体の形状保持力を解放したとき、前記靴下から突出する前記紐装着端部を含む棒状体の突出部に人の足先が挿入できる隙間が形成できるように、前記紐装着端部内に挿入されている第１帯状補強材とを具備し、前記中板には、棒状体の内側面となる面に形成された複数の凹溝が、前記中板の中央部近傍で交差している第２の靴下装着用補助具を提供できる。
かかる第２の靴下装着用補助具において、中板を、二枚の補強板を積層して形成し、前記補強板の一方側に他方の補強板を部分的に積層して凹溝を形成することによって、複数の凹溝を容易に形成できる。また、第１帯状補強材を、帆布によって形成することが好ましい。
【０００７】
これらの靴下装着用補助具において、袋状部としては、綿素材から成る布帛によって形成されている袋状部を用いることによって、靴下から袋状部を容易に引き抜くことができ、且つ靴下を足に沿って確実に引き上げることができる。
また、靴下に挿入する棒状体の端部側に、先細状端部によってＶ字状部を形成することによって、足を挿入した靴下から袋状部を容易に引き抜くことができる。
更に、装着孔には、足を挿入した靴下内から靴下と共に袋状部を引き上げる引上げ紐を装着する。
【発明の効果】
【０００８】
本発明者が提案した第１の靴下装着用補助具では、布帛によって形成した袋状部内に挿入された、袋状部と共に折り畳むことのできる中板の一面側には、中板よりも硬く且つ靴下に挿入される足の踵に沿って弾性変形可能の第２帯状補強材が一面側に装着されている。このため、第２帯状補強材を芯部として、袋状部及び中板を折り畳んで棒状体を形成できる。この棒状体は、芯部が第２帯状補強材によって形成されているため、袋状部の先細端部によって形成された端部側から靴下内に容易に挿入できる。
また、靴下から突出した棒状体の突出部の端部を形成する紐装着端部には、中板よりも硬く且つ袋状部と共に折り畳んで棒状体を形成できる弾性変形可能の第１帯状補強材が挿入されている。このため、靴下内に挿入した棒状体の形状保持力を解放することによって、靴下から突出している突出部に、第１帯状補強材の弾性によって足先を挿入できる隙間を容易に形成できる。
この様に、本発明者が提案した第１の靴下装着用補助具によれば、第２帯状補強材を芯部として形成した棒状体を靴下内に片手で容易に挿入でき、且つ靴下から突出する棒状体の突出部の端部に第１帯状補強材によって容易に足を挿入できる隙間を形成できる。その結果、棒状体の隙間から挿入された足の踵部を袋状体によって包むことができ、袋状体を靴下から引き抜くことによって、片手が不自由な身体障害者等の使用者でも、一人で靴下を着用できる。
【０００９】
また、本発明者が提案した第２の靴下装着用補助具では、布帛によって形成した袋状部内には、袋状部と共に折り畳むことのできる補強板として、複数の凹溝が形成された中板が挿入されている。このため、袋状部を折り畳んで形成した棒状体を靴下内に容易に挿入できる。
更に、靴下から突出した棒状体の突出部の端部を形成する紐装着端部には、中板よりも硬く且つ袋状部と共に折り畳んで棒状体を形成できる弾性変形可能の第１帯状補強材が挿入されている。このため、靴下内に挿入した棒状体の形状保持力を解放することによって、靴下から突出している突出部に、第１帯状補強材の弾性によって足先を挿入できる隙間を容易に形成できる。
しかも、中板の中央部近傍には、複数の凹溝が交差しているため、棒状体の靴下から突出した端部の隙間から挿入された足の踵部を袋状体によって包むことができ、袋状体を靴下から引き抜くことによって、片手が不自由な身体障害者等の使用者でも、一人で靴下を着用できる。
【図面の簡単な説明】
【００１０】
【図１】本発明者が提案した靴下装着用補助具の一例を説明する正面図である。
【図２】図１に示す靴下装着用補助具１０のＸ−Ｘ及びＹ−Ｙでの断面図である。
【図３】図１に示す靴下装着用補助具１０で用いる中板２４の正面図である。
【図４】図１に示す靴下装着用補助具１０の袋状部１２を折り畳んで形成した棒状体３２の正面図である。
【図５】図４に示す棒状体３２を靴下３４に挿入した状態を説明する説明図である。
【図６】靴下３４に挿入した棒状体３２内に足先を挿入する状態及び靴下３４から袋状部１２を引っ張り出す状態を説明する説明図である。
【図７】中板２４の他の態様を示す正面図である。
【図８】袋状部１２の他の態様を示す正面図である。
【図９】中板２４の他の態様を示す正面図及び断面図である。
【図１０】従来の靴下装着用補助具の正面図及び背面図である。
【図１１】図１０に示す靴下装着用補助具の使用方法を説明する説明図である。
【発明を実施するための形態】
【００１１】
本発明者が提案した靴下装着用補助具の一例を図１に示す。図１は、靴下装着用補助具１０の正面図であって、木綿生地によって六角形状の袋状体１２が形成されている。この袋状体１２は、紐１４，１４が装着される装着孔１６，１６が形成された紐装着端部１８に対向する端部が、先端方向に次第に幅狭となる先細状端部２０に形成されている。
【００１２】
図１に示す袋状体１２の紐装着端部１８ついて、そのＸ−Ｘにおける断面形状を図２（ａ）に示す。紐装着端部１８は、幅５０ｍｍ程度であって、図２（ａ）に示すように、木綿生地１２ａ，１２ｄの端部が逢着されて形成されている。この木綿生地１２ａ，１２ｄには、第１帯状補強材２８が挟まれており、木綿生地１２ａ，１２ｄ及び第１帯状補強材２８は、装着孔１６，１６を形成する鳩目によって一体化されている。
この第１帯状補強材２８は、ポリエステル繊維の経糸と緯糸とから成る帆布によって形成されている帯状部材であって、中板２４よりも硬く且つ袋状体１２と共に折り畳むことができる弾性変形可能の補強材である。
【００１３】
また、紐装着端部１８よりも先細状端部２０のＹ−Ｙ面での断面形状を図２（ｂ）に示す。図２（ｂ）から明らかな様に、袋状体１２では、木綿生地１２ａの端部の一方と木綿生地１２ｂの端部の一方とが逢着され、木綿生地１２ａの他方の端部と木綿生地１２ｃの端部の一方とが逢着されている。この木綿生地１２ｂの他方の端部と木綿生地１２ｃの他方の端部とが重複されている部分は、逢着されておらず開口部２２に形成されている。
かかる開口部２２からは、紐装着端部１８を除く袋状体１２内に挿脱可能に中板２４が挿入されている。この中板２４は、厚さ１．５〜３ｍｍ（特に好ましくは２ｍｍ程度）のフェルト材によって形成され、図３に示す様に、袋状体１２と相似形の六角形状に形成されている。中板２４は、袋状体１２と共に折り畳み可能である。
尚、中板２４は、二枚のフェルト材を張り合わせて形成してもよい。
【００１４】
更に、中板２４の木綿生地１２ｂ，１２ｃ側となる一面側の中央部には、図２（ｂ）及び図３に示す様に、第２帯状補強材２６が装着されている。この第２帯状補強材２６は、中板２４の紐装着端部１８の側に位置する端部から先細状端部２０の先端側に位置する端部方向に延出されている。
かかる第２帯状補強材２６は、ポリエステル繊維の経糸と緯糸とから成る帆布によって形成されている、厚さ０．７〜１．９ｍｍで且つ幅１９．３〜３９ｍｍ（特に好ましくは厚さ０．７ｍｍで且つ幅２３ｍｍ程度）の帯状部材であって、中板２４よりも硬く且つ靴下に挿入される足の踵に沿って弾性変形可能である。
【００１５】
図１〜図３に示す靴下装着用補助具１０を用いて靴下を履く際には、先ず、図４に示す様に、袋状体１２を折り畳み第２帯状補強材２６が芯部となる棒状体３２を形成する。この際に、先細状端部２０によってＶ字状部３０が端部の一方に形成されるように、袋状部１２を折り畳む。
形成された棒状体３２は、Ｖ字状部３０が形成された端部側から靴下内に挿入する。棒状体３２を靴下内に挿入する際には、棒状体３２は第２帯状補強材２６が芯部を形成しているため、紐装着端部１８を片手で持って靴下内に挿入できる。
靴下内にＶ字状部３０が形成された端部側が挿入された棒状体３２は、図５に示す様に、靴下３４から紐装着端部１８側の端部が突出している。この紐装着端部１８には、中板２４よりも硬い弾性変形可能の第１帯状補強材２８が挿入されている。このため、棒状体３２の形状を保持する形状保持力を解放すると、第１帯状補強材２８の弾性力によって、図５に示す様に、紐装着端部１８側の端部に、足先が挿入される隙間が容易に形成される。
【００１６】
紐装着端部１８側の端部に形成した隙間には、図６（ａ）に示す様に、床等に置いた靴下３４から突出する紐装着端部１８側の端部に形成した隙間に足先を挿入する。
次いで、図６（ｂ）に示す様に、紐１４，１４を引っ張り、袋状体１２を靴下３４から引き抜くことによって、靴下３４も袋状体１２との摩擦力によって引っ張り上げられて靴下３４を着用できる。この際に、中板２４の一面側に装着されている第２帯状補強材２６は、足の踵に沿って弾性変形し、踵を靴下３４内に案内すると共に、袋状体１２をスムーズに引き抜くことができる。
尚、図５及び図６では、靴下３４としてビジネスソックスに適用した場合を示したが、ハイソックスやストッキングにも適用可能である。
【００１７】
図１〜図６に示す靴下装着用補助具１０では、中板２４の中央部に第２帯状補強材２６が装着されていたが、図７に示す様に、第２帯状補強材２６の両側に帯状補助補強材３６，３６を装着してもよい。この帯状補助補強材３６，３６は、第２帯状補強材２６よりも幅狭いものとすることが好ましい。
また、図１〜図６に示す靴下装着用補助具１０では、袋状体１２が六角形状であったが、図８に示す様に、先細状端部２０が弧状であってもよい。この図８に示す袋状体１２でも、中板２４も、袋状体１２の形状と相似形とする。
尚、図１〜図８に示す袋状体１２では、中板２４を挿脱用に開口部２２が形成されていたが、開口部２２を形成しなくてもよい。
【００１８】
以上、説明してきた靴下装着用補助具１０では、中板２４の中央部に第２帯状補強材２８が装着されているが、図９に示す様に、第２帯状補強材２８が装着されていない中板２４を用いることができる。
かかる中板２４は、図９（ａ）に示す様に、棒状体３２の内側面となる面に複数の凹溝３８，３８・・が形成され、複数の凹溝３８，３８・・が中板２４の中央部近傍で交差している。
かかる中板２４が図１に示す袋状部１２に挿入された靴下装着用補助具１０によれば、
袋状部１２を折り畳んで形成した棒状体３２は、中板２４によって補強されており、靴下内に容易に挿入できる。
更に、靴下から突出した棒状体３２の突出部の端部を形成する紐装着端部には、中板２４よりも硬く且つ袋状部１２と共に折り畳んで棒状体３２を形成できる弾性変形可能の第１帯状補強材２８が挿入されている。このため、靴下内に挿入した棒状体３２の形状保持力を解放することによって、靴下から突出している棒状体３２の突出部に、第１帯状補強材２８の弾発力によって足先を挿入できる隙間を容易に形成できる。
【００１９】
しかも、中板２４の中央部近傍には、複数の凹溝３８，３８・・が交差しているため、棒状体の靴下から突出した棒状体３２の端部に形成された隙間から挿入された足の踵部を袋状体１２によって包むことができ、袋状体１２を靴下から引き抜くことによって、片手が不自由な身体障害者等の使用者でも、一人で靴下を着用できる。
図９（ａ）に示す中板２４は、図９（ｂ）に示す様に、二枚のフェルト材から成る補強板２４ａ，２４ｂを積層することによって形成できる。その際に、補強板２４ａの一面側に、補強板２４ｂを部分的に積層し、複数の凹溝３８，３８・・を形成する。
かかる中板２４も、補強板４ａ，２４ｂの積層厚さが１．５〜３ｍｍ（特に好ましくは２ｍｍ程度）となるように調整することが好ましい。
【符号の説明】
【００２０】
１０  靴下装着用補助具
１２  袋状体
１２ａ，１２ｂ，１２ｃ，１２ｄ  木綿生地
１４，１４  紐
１６，１６  装着孔
１８  紐装着端部
２０  先細状端部
２２  開口部
２４  中板
２６  第２帯状補強材
２８  第１帯状補強材
３０  Ｖ字状部
３２  棒状体
３４  靴下
３８  凹溝
【図１】
2010284294.tif 000003
【図２】
2010284294.tif 000004
【図３】
2010284294.tif 000005
【図４】
2010284294.tif 000006
【図５】
2010284294.tif 000007
【図７】
2010284294.tif 000008
【図８】
2010284294.tif 000009
【図９】
2010284294.tif 000010
【図１０】
2010284294.tif 000011
【図６】
2010284294.tif 000012
【図１１】
2010284294.tif 000013